(57)【要約】【課題】カップホルダに飲料容器を安定保持できるとともに、飲料容器からの液体漏れ対策を施したインストルメントパネルの支持構造を提供する。【解決手段】インストルメントパネルコア２００と、当該インストルメントパネルコア２００に設けた開口２１０に嵌め込まれたカップホルダ３００と、を備えたインストルメントパネルの支持構造であって、インストルメントパネルコア２００の開口２１０が設けられた領域は、ブラケット５００を介して車体構造部材４００に支持されており、ブラケット５００は、ボックス部５１０と、当該ボックス部５１０の外周から延出するフランジ部５２０とを有し、ボックス部５１０の底部が車体構造部材４００に連結されるとともにフランジ部５２０がインストルメントパネルコア２００に連結されており、ボックス部５１０には、重力により液体を誘導して排出する液体誘導手段６００が設けられている。【選択図】  図２
2020083081.tif 000002
【特許請求の範囲】
【請求項１】
インストルメントパネルコアと、当該インストルメントパネルコアに設けた開口に嵌め込まれたカップホルダと、を備えたインストルメントパネルの支持構造であって、
上記インストルメントパネルコアの上記開口が設けられた領域は、ブラケットを介して車体構造部材に支持されており、
上記ブラケットは、ボックス部と、当該ボックス部の外周から延出するフランジ部とを有し、
上記ボックス部の底部が上記車体構造部材に連結されるとともに上記フランジ部が上記インストルメントパネルコアに連結されており、
上記ボックス部には、重力により液体を誘導して排出する液体誘導手段が設けられていることを特徴とする、インストルメントパネルの支持構造。
【請求項２】
上記ブラケットの上記ボックス部には、上記底部と当該底部以外の壁とをつなぐリブ部を有するハーネスクランプ部が設けられている、請求項１に記載のインストルメントパネルの支持構造。
【発明の詳細な説明】
【技術分野】
【０００１】
本発明は、インストルメントパネルの支持構造に関し、詳しくは、飲料容器を保持するカップホルダが組み込まれたインストルメントパネルの支持構造に関する。
【背景技術】
【０００２】
特許文献１に示されているように、車両のインストルメントパネルには、カップホルダが組み込まれることがある。同文献に示されたものは、ベンチレータの吹き出し口を開閉するリッドの動きに連動してリング状のホルダ部材が所定の姿勢をとり、当該ホルダに保持される飲料容器の底部を水平な開位置をとるリッドが支える構成である。
【０００３】
同文献の構成では、飲料容器は、水平な姿勢のリッドに載せられた状態でリング状のホルダ部材により倒れないように保持されるだけであるため、飲料容器の保持状態が不安定であり、飲料容器からこぼれ出た液体がインストルメントパネルの表面部や内部を伝い、電装品やハーネス、あるいはコネクタを濡らす恐れがある。
【先行技術文献】
【特許文献】
【０００４】
【特許文献１】特開平７−１９５９３７号公報
【発明の概要】
【発明が解決しようとする課題】
【０００５】
本発明は、上記した事情のもとで考え出されたものであって、カップホルダに飲料容器を安定保持できるとともに、飲料容器からの液体漏れ対策を施したインストルメントパネルの支持構造を提供することをその課題とする。
【課題を解決するための手段】
【０００６】
上記課題を解決するため、本発明では、次の技術的手段を採用した。
【０００７】
すなわち、本発明によって提供されるインストルメントパネルの支持構造は、インストルメントパネルコアと、当該インストルメントパネルコアに設けた開口に嵌め込まれた有底状カップホルダと、を備えたインストルメントパネルの支持構造であって、上記インストルメントパネルコアの上記開口が設けられた領域は、ブラケットを介して車体構造部材に支持されており、上記ブラケットは、ボックス部と、当該ボックス部の外周から延出するフランジ部とを有し、上記ボックス部の底部が上記車体構造部材に連結されるとともに上記フランジ部が上記インストルメントパネルコアに連結されており、上記ボックス部には、重力により液体を誘導して排出する液体誘導手段が設けられていることを特徴とする。
【０００８】
好ましい実施の形態では、上記ブラケットの上記ボックス部には、上記底部と当該底部以外の壁とをつなぐリブ部を有するハーネスクランプ部が設けられている。
【発明の効果】
【０００９】
ブラケットは、ボックス部とフランジ部とを有し、構造上高剛性を有する。インストルメントパネルにおけるカップホルダ用開口が設けられた領域は、このような高剛性を有するブラケットを介してピラー・ツー・ピラーメンバなどの車体構造部材に支持されるので、その支持剛性は強固なものとなる。また、ボックス部に所定のリブ部を有するハーネスクランプ部を設けることにより、ブラケットの剛性がより高まり、当該ブラケットによるインストルメントパネルの支持剛性をより高めることができるとともに、カップホルダの設置領域に近い部位に設けたスイッチ類へのハーネスの配索を適正に行うことができる。
【００１０】
ブラケットのボックス部には重力により液体を誘導して排出する液体誘導手段が設けられているので、カップホルダ用開口からブラケット内に滴下した液体を電装品の水濡れを避ける部位に誘導して排出することができる。
【００１１】
本発明のその他の特徴および利点は、図面を参照して以下に行う詳細な説明から、より明らかとなろう。
【図面の簡単な説明】
【００１２】
【図１】本発明が適用されるインストルメントパネルを示し、図２のＩ方向矢視図である。
【図２】図１のII-II線に沿う断面図である。
【図３】ブラケットの全体斜視図であり、車室側から視た図に相当する。
【発明を実施するための形態】
【００１３】
以下、本発明の好ましい実施の形態につき、図面を参照して具体的に説明する。
【００１４】
図１および図２に示すように、車両のインストルメントパネル１００は、樹脂で成形されたインストルメントパネルコア２００に、メータ類、各種スイッチ類、エアコン用吹き出し口２４０、カーオーディオ、飲料容器Ｂを収容保持するカップホルダ３００等の各種部品を組み込んで構成される。本発明は、通常、左右部に設けられるカップホルダ３００を有するインストルメントパネル１００の支持構造に関する。以下においては、右方に設けられるカップホルダ３００付近のインストルメントパネル１００の支持構造の一例を代表して説明する。
【００１５】
インストルメントパネルコア２００には、カップホルダ用開口２１０が設けられ、このカップホルダ用開口２１０に上方から嵌合させるようにしてカップホルダ３００が設けられる。カップホルダ３００は上向き開口３１０を有する有底筒状の部材である。本実施形態では、インストルメントパネルコア２００におけるカップホルダ用開口２１０の上方にはエアコン用吹き出し口２４０が設けられている。このカップホルダ３００には、たとえばペットボトルなどの飲料容器Ｂを挿入保持することができる。インストルメントパネルコア２００におけるカップホルダ用開口２１０が設けられた部位の下方には、スイッチベース１１０が配置され、当該スイッチベース１１０には、フォグランプスイッチやエアコンスイッチ等のスイッチ類１１１が配置されている。
【００１６】
インストルメントパネルコア２００の左右部、すなわち上記カップホルダ３００が設けられる領域は、以下の構成を有するブラケット５００を介して車体構造部材としてのピラー・ツー・ピラー・メンバ４００に支持されている。
【００１７】
ブラケット５００は、たとえば樹脂成型により形成され、図２および図３に示すように、ボックス部５１０と、当該ボックス部５１０の外周から延出するフランジ部５２０とを有する。ボックス部５１０は、上部壁５１１と、左右側部壁５１３，５１４と、下部壁５１２と、底部壁５１５とで矩形断面の内部空間５４０を形成しており、取付け状態において、後方斜め上方を向いて開口している。
【００１８】
下部壁５１２は、前方に向かうほど下位となるように傾斜しており、かつ、底部壁５１５の下部には、下部壁５１２の前端と隣接する排水口５１６が貫通形成されており、これら傾斜状の下部壁５１２と排水口５１６とが本発明における液体誘導手段６００を構成している。また、下部壁５１２の後端部には、インストルメントパネルコア２００におけるカップホルダ用開口２１０の後縁から前方傾斜しながら下方に延びる下垂部２３０の一部がオーバラップさせられている。
【００１９】
フランジ部５２０は、ボックス部５１０の上部壁５１１から左右側部壁５１３，５１４にかけて、それらから外方に起立するようにして設けられている。
【００２０】
本実施形態ではまた、ブラケット５００には、ハーネスクランプ部５３０が設けられている。このハーネスクランプ部５３０は、ボックス部５１０の下部壁５１２と底部壁５１５とにつながり、側部壁５１３と平行なリブ部５３１と、当該リブ部５３１と側部壁５１３とをつなぐ後壁部５３２と、当該後壁部５３２の上端とリブ部５３１の上端と側部壁５１３と底部壁５１５とをつなぐ棚壁部５３３とを有し、ボックス部５１０の前方下部コーナ部を矩形ボックス状に凹入させたような形態を有する。図示しないハーネスは、後壁部５３２に設けられた孔５３４を利用して取り付けられたクランプ部材（図示略）に保持される。
【００２１】
ブラケット５００は、ボックス部５１０の底部壁５１５がピラー・ツー・ピラー・メンバ４００に対してインパクトねじ４１０を用いた固定手段を用いるなどして連結され、フランジ部５２０がインストルメントパネルコア２００の裏面に設けた複数のボス部２２０に対してタッピングねじ５２１をねじ込むことによって、インストルメントパネルコア２００に対して連結されている。その結果、インストルメントパネルコア２００におけるカップホルダ用開口２１０を設けた左右領域は、ブラケット５００を介してピラー・ツー・ピラー・メンバ４００に支持されていることになる。
【００２２】
次に、上記構成のインストルメントパネルの支持構造Ａ１の作用について説明する。
【００２３】
ブラケット５００は、ボックス部５１０とフランジ部５２０とを有し、構造上高剛性を有する。インストルメントパネルコア２００におけるカップホルダ用開口２１０が設けられた領域は、このような高剛性を有するブラケット５００を介してピラー・ツー・ピラーメンバ４００などの車体構造部材に支持されるので、その支持剛性は強固なものとなる。また、ボックス部５１０にリブ部５３１を含むボックス状のハーネスクランプ部５３０が設けられているので、ブラケット５００の剛性がより高まり、当該ブラケット５００によるインストルメントパネルコア２００の支持剛性をより高めることができるとともに、カップホルダ３００の設置領域に近い部位に設けたスイッチ類１１１へのハーネスの配索を適正に行うことができる。
【００２４】
ブラケット５００のボックス部５１０には、傾斜状の下部壁５１２と、底部壁５１５に設けた排水口５１６とを含む、重力により液体を誘導して排出する液体誘導手段６００が設けられているので、カップホルダ３００に保持させた飲料容器Ｂからこぼれた飲料がカップホルダ用開口２１０の隙間から侵入するなどしてブラケット５００の内部空間５４０内に滴下進入したとしても、飲料が電装品、たとえばスイッチ類１１１が水濡れを受けることがないように誘導して排出することができる。
【００２５】
もちろん、本発明の範囲は上記した実施形態に限定されることはなく、各請求項に記載した事項の範囲内でのあらゆる設計変更は、すべて本発明の範囲に含まれる。
【００２６】
たとえば、ブラケット５００の具体的形態は問われず、特にボックス部５１０は実施形態のように矩形断面である必要はなく、内部空間５４０の断面形態は問われない。重要な点は、ボックス部５１０の底部壁５１５が直接または間接にピラー・ツー・ピラー・メンバ４００などの車体構造部材に連結され、フランジ部５２０がインストルメントパネルコア２００に連結されていることである。
【００２７】
また、ハーネスクランプ部５３０についても、ボックス部５１０の剛性を高めるリブ部５３１を有することが重要なのであって、それ以外の具体的構成は問われない。
【００２８】
さらに、ボックス部５１０に形成する液体誘導手段６００についても具体的構成は実施形態に限られない。ボックス部５１０の内部空間５４０に滴下進入した液体が傾斜面を伝い、内部空間５４０の最底部に形成した排水口５１６から排出されるようにすればよい。
【符号の説明】
【００２９】
Ａ１      インストルメントパネルの支持構造
Ｂ        飲料容器
１００    インストルメントパネル
１１０    スイッチベース
１１１    スイッチ類
２００    インストルメントパネルコア
２１０    カップホルダ用開口
２２０    ボス部
２３０    下垂部
２４０    エアコン用吹き出し口
３００    カップホルダ
３１０    上向き開口
４００    ピラー・ツー・ピラー・メンバ
４１０    インパクトねじ
５００    ブラケット
５１０    ボックス部
５１１    上部壁
５１２    下部壁
５１３    側部壁
５１４    側部壁
５１５    底部壁
５１６    排水口
５２０    フランジ部
５２１    タッピングねじ
５３０    ハーネスクランプ部
５３１    リブ部
５３２    後壁部
５３３    棚壁部
５３４    孔
５４０    内部空間
６００    液体誘導手段
【図１】
2020083081.tif 000003
【図２】
2020083081.tif 000004
【図３】
2020083081.tif 000005